(57)【要約】      （修正有）【課題】植物を育てる為に、地面にその下端を差し込む植木鉢であり、植物の生育状況に応じて、そのまま室内に持ち込む事が可能で、さらに、インテリアや小物入れや食器などとしても使用可能な、極めて汎用性の高い植木鉢えを提供する。【解決手段】１、略直方体の容器の下部に多角柱部を設け、地面に差し込める様に装置する。２、多角柱の底部は貫通とし、必要に応じて底蓋を着脱自在とする。３、多角柱部分を覆う受け皿を着脱自在に装置し、その形状は容器の直方体部分と同一とする。４、容器の上部開口部には、土の飛散や乾燥を設ける蓋を設ける。５、小物入れなどの用途として使用する場合は、容器本体と蓋と受け皿の組合せにより、多種多様な形状の容器とする。【選択図】図２
2016077278.tif 000002
【特許請求の範囲】
【請求項１】
以下の様に構成し、他用途への展開機能を備え、汎用性を高めた事を特徴とする、植木鉢。
１、植木鉢は、上部が開口した容器であり、開口部の形状は略長方形とする。
２、容器の上部は略直方体形状とし、略直方体の一面が、上部の開口部となっている。
３、容器の下部は、水平方向に切った時の断面形状が多角形、即ち多角柱とする。
４、多角柱部分の底面が植木鉢の底部であり、この底部に１個又は複数個の水抜き用の貫通孔を設ける。尚、底面を設けず、多角柱の内部が貫通して空洞になっている構成、又は底面に水抜き孔が無い構成も含む。
５、略直方体部分と多角柱部分とは、樹脂にて一体成形する、又は、ゴム成形、木材の加工、金属の成形、金属加工、陶器のいずれかにて成形する。
６、略直方体部分の内側に、対辺又は対角部を連結する補強リブを設ける。尚、植木を通す為、上部開口部側から見て多角柱部分には、リブを設けない構成も含む。
【請求項２】
以下のいずれか、又は以下のいずれか複数の特徴を有する、請求項１に記載の、植木鉢。
１、直方体部分の高さと、多角柱部分の高さを略同一とした。
２、直方体部分の高さ寸法を、多角柱部分の高さ寸法よりも大きくした。
３、直方体部分の高さ寸法を、多角柱部分の高さ寸法よりも小さくした。
４、直方体部分と多角柱部分との境界は、最小半径で接続した。
５、直方体部分と多角柱部分との境界は、滑らかに接続した、
６、多角柱部分を、多角錐、又は直方体、又は円柱とした。
７、多角柱部分を、異形断面を有する立体とした。尚、異形断面を有するる立体とは、水平方向に切って上から見た時の断面形状が、星形や凸形や凹形などの意匠形状になっている場合を指す。
８、多角柱部分を、２個以上設けた。
９、多角柱部分を複数設けた場合、その高さ寸法を統一した、又は高さ寸法を不均一とした。
１０、多角柱部分は、開口部の面積内に収まる寸法及び配置とした。即ち、上部開口部側から見て、多角柱の外側面が開口部の外縁からはみ出さない様に装置した。
１１、水抜き用の貫通孔を、底面と多角柱部分との境界上に設けた、又は多角柱部分の側面に設けた、又は直方体部分の下面に設けた、又は直方体部分の側面に設けた。
【請求項３】
容器の底、即ち多角柱部分の下端及びその近傍を、別部品の底蓋として着脱可能に装置すると共に、以下のいずれか、又は以下のいずれか複数の特徴を有する、請求項１又は請求項２に記載の植木鉢。
１、多角柱部分の内面は、下部側の断面積が小さいテーパーとし、開口部側から底蓋を挿入し、最下部で圧着固定される様に装置した。
２、多角柱部分の内面最下部に、段差、又は突起、又はリブを設け、開口部側から挿入した底蓋が最下部で保持される様に装置した。尚、樹脂成形時のパーティングラインを底蓋を保持する段差として使用する構成も含む。
３、上記２の構成に、上記１の内面テーパーを組み合わせた。
４、多角柱部分の内面にメネジを設け、底蓋の外周部にオネジを設け、ネジ込みとした。
５、多角柱部分の外表面にオネジを設け、底蓋は凹形状とした上で内面にメネジを設け、下側からネジ込みとした。
６、上記４又は上記５の構成において、ネジを廃止し、圧入とした。尚、圧入する嵌合面に細かい凹凸を設けた構成や、粗面とした構成も含む。
７、多角柱部分の下端近傍に水平方向のスリット、即ち上下方向に薄く横長の開口部を設け、板状の底蓋をスリットに挿入して嵌合可能に構成した。
８、底蓋を凹形状とし、その高さ寸法を、多角柱の高さ寸法と略同一とした。即ち、多角柱部分の大半を、底蓋として着脱可能に装置した。
９、底蓋と多角柱部分とを、接着、又は溶着した。
【請求項４】
容器に、蓋と受け皿のいずれか、又は両方を備え、以下のいずれか、又はいずれか複数の構成により、傘立てや小物用の容器などに転用可能とし、汎用性を高めた事を特徴とする、請求項１から請求項３のいずれかに記載の植木鉢。
１、容器の上部開口部を隙間無く覆う板状の蓋を取り付け、この蓋に貫通孔を設ける。貫通孔の形状と大きさは、真上から見た状態で、多角柱の外側面形状、又は多角柱の内側面形状と略同一とする。尚、多角柱が、無限に角の数が多い多角柱、即ち円柱の場合は、貫通孔も円形となる。
２、蓋に設けた貫通孔部の下面に、所定の長さを有する筒状の多角柱部材を一体成形し、蓋の上面と、前記の筒状部分の内面を、滑らか又は直角に繋ぐ構成とする。尚、多角柱が円柱の場合は、筒状の多角柱部材は円筒となる。
３、蓋に設ける貫通孔の数は、本体の多角柱の数と同一とし、貫通孔の位置は、多角柱の位置と一致させ、植物の生育を妨げない様に装置する。
４、蓋は、外縁部近傍の下面に、下向きのリブや突起を設け、容器の開口部とインロー嵌合とし、所定の位置に着脱自在とする。
５、蓋の下面に、下向きのリブや突起を設け、容器内面に設けられたリブを把持する構成とし、蓋を所定の位置に着脱自在とする。尚、容器のリブを把持する為のリブや突起と、蓋の下面に設けた筒状部分とを、接続又は組合せ、リブや突起に、蓋の位置決めと、蓋との補強と、両方の機能を持たせた構成も含む。
６、容器の下部に、多角柱部分を覆う、凹形状の受け皿を取り付ける。尚、この受け皿の平面形状、即ち真上から見た時の形状と大きさは、容器の上縁部形状又は蓋の形状と、略同一の場合も含む。
７、受け皿の深さ、即ち受け皿の側面の高さ寸法は、容器の略直方体部分の高さ寸法と略同一とする、又は受け皿の側面寸法の方を大きくする、又は容器の略直方体部分の高さ寸法の方を大きくする。
８、受け皿は、容器の直方体部分と、略同形状で略同サイズの、直方体とする。
９、受け皿の内部に、補強用のリブ又は突起形状を設ける。尚、リブ又は突起形状は、容器の多角柱部分の挿入を妨げない、配置及び形状とする。
１０、受け皿の内部、即ち底部上面及び縦壁の内側表面に設けたリブ又は突起は、容器の多角柱部分の外側面又は内側面を把持する構造とし、受け皿を着脱自在とする。
１１、容器の側面、又は蓋の表面、又は受け皿の側面、又は受け皿の底面のいずれか１つ、又はいずれか複数を、意匠面とした。尚、意匠面とは、彩色、文字、図形、凹凸、質感、絵、模様、記号のいずれか、又はいずれかの組合せにより、所定の意匠を施した面を指し、意匠を施したシール等を表面に貼り付ける構成も含む。
１２、上記１１の構成において、複数の面に、同一、又は類似、又は同じ種類の意匠を施す。尚、インジェクション成形によって樹脂成形を行う場合、成形条件を変化させ、成形品の表面に、湯流れによる不規則な模様を浮き出させる構成も含む。
１３、上記１から５のいずれか、又はいずれか複数の構成を、受け皿と蓋との組み合せに適用することにより、蓋を、受け皿に取り付け可能とした、又は着脱自在に構成した。
１４、蓋は、容器本体と受け皿と、どちらにでも取り付け可能とし、着脱自在とした。
１５、容器本体と、受け皿と、蓋の３種類を、所定の数だけセットし、サイズや形状を変更可能な容器とした。尚、容器の多角柱部分の数を１個又は複数とし、容器のサイズや形状を数種類用意し、その直方体部分に適合する蓋と容器を追加したセットも含む。
１６、蓋の貫通孔に埋め栓を取り付けた。尚、埋め栓の上面と蓋の上面を、略同一面にした構成、又は埋め栓と蓋を一体成形した構成も含む。
１７、蓋と容器本体、又は蓋と受け皿、又はその両方を、樹脂にて一体成形した。
１８、蓋と容器本体、又は蓋と受け皿、又はその両方を、接着、又は溶着した。
１９、容器本体、又は蓋、又は受け皿は、複数の部品で構成され、接着、又は溶着、又は圧入、又は嵌め込みによって、所定の形状となる様に装置した。
２０、容器本体、又は蓋、又は受け皿のいずれか、又はいずれか複数を、透明とした、又は一部分だけを透明とし、根の育成や水分量などを観察可能とした。尚、透明とは、ガラスの様に内部がそのまま見える物の他、型ガラスの様に内部の明暗が判別可能な物を指し、透明の樹脂や透明のガラスに着色した構成も含む。
【発明の詳細な説明】
【技術分野】
【０００１】本発明は、植物を育てる為に、地面にその下端を差し込む植木鉢であり、植物の生育状況に応じて、そのまま室内に持ち込む事が可能で、さらに、インテリアや小物入れや食器などとしても使用可能な、極めて汎用性の高い植木鉢に関する。
【背景技術】
【０００２】植木鉢に受け皿を取り付ける考案は過去にも存在したが、水を受けるだけの機能であって、意匠等は一切考慮されておらず、また、不要になっても、植木鉢以外の用途には転用できない。また、本発明は、日用品として、小物入れ、汎用容器、食器、調理器具などに転用可能な植木鉢であるが、植木鉢を製造販売する園芸用品業界と、日用品業界とは業種が異なるので、両方に共通する当業者はおらず、双方に展開する為の技術や発想は、存在しなかった。
【先行技術文献】
【特許文献】
【０００３】
【特許文献１】  特願２００３−５６４１５
【発明の概要】
【発明が解決しようとする課題】
【０００４】屋内、屋外を問わず使用可能な植木鉢が求められており、さらに、植物が枯れた場合など、不要になった時には他の用途に転用可能な、汎用性の高い高機能な植木鉢が要求されている。
具体的には、以下の全ての課題と要求を、完全に解決する事が、本発明の課題である。
１、花壇で育成した植物を、そのまま屋内に持ち込めること。
２、屋内で育成した植物を、植え替えることなく、花壇等に移設可能なこと。
３、屋内に持ち込んだ時には、受け皿を取り付け可能なこと。
４、屋内持ち込み時は、土の飛散や乾燥を防ぐ機能が存在すること。
５、同時に複数の植物を栽培できること。
６、植物か枯れた場合など、不要になった時は、他の用途に転用可能なこと。
７、容器として使用する際は、用途に応じて組合せ、サイズや形状を変更可能なこと。
８、植木鉢の表面が意匠面であること。また、組合せにより、複数の意匠を創造可能なこと。
９、低コストで、大量生産が可能なこと。
１０、花壇等で使用する際、エクステリアとして使用可能で、また、強風でも転倒しないこと。
１１、本体は、容易に着色、彩色が可能なこと。
１２、家庭菜園からキッチンへ、植物等を簡単に移動可能で、野菜や果物を収穫した後は、調理用の容器や食器として、使用可能なこと。
１３、物入れとして使用する場合、上下を逆にしても、横向きに倒しても、使用可能なこと。
尚、前述の先行技術文献は、水を受ける機能しか存在せず、植木鉢以外の用途には使用できないので、本発明の課題を解決する事など、到底不可能である。
【課題を解決するための手段】
【０００５】課題を解決する為には、本発明の請求項１から請求項４のいずれかに記載された構成を１つ、又は複数選択して採用する。その内容は、概略、以下の構成を指す。
１、略直方体の容器の下部に多角柱部を設け、地面に差し込める様に装置する。
２、多角柱の底部は貫通とし、必要に応じて底蓋を着脱自在とする。
３、多角柱部分を覆う受け皿を着脱自在に装置し、その形状は容器の直方体部分と同一とする。
４、容器の上部開口部には、土の飛散や乾燥を設ける蓋を設ける。
５、小物入れなどの用途として使用する場合は、容器本体と蓋と受け皿の組合せにより、多種多様な形状の容器とする。
【発明の効果】
【０００６】本発明の、請求項１から請求項４のいずれかに記載された構成を複数採用すれば、前述の課題を、全て完璧に解決する事ができる。
一般的な植木鉢は、植木を入れるだけの機能しか無いので、例えば植物が枯れた場合など、他に転用ができない。しかし本発明であれば、受け皿と植木鉢本体と蓋を組み合わせる事により、色々な形状の容器として使用する事ができる。
例えば、受け皿の上に、多角形部分を貫通させた本体容器を複数重ね、最上部の開口部分に、貫通孔を設けた蓋を取り付ければ、傘などの長尺物を収納する傘立てになる。また、本体を植木鉢として使用し、花壇などに多角柱部分を差し込んで使用している時は、余っている受け皿と蓋とを組み合わせる事により、ペン立てなどの小物入れとして使用が可能で、全く無駄が無い。
また、多角柱部分を複数設けた構成においては、複数の植物を同時に栽培することが可能で、例えば家庭菜園において、２種類の野菜を同時に栽培し、同時に収穫し、そのままキッチンに持ち込み調理する、などの用途に活用可能で、極めて利便性が高い。
【図面の簡単な説明】
【０００７】
【図１】本発明の植木鉢を、地面に差し込み、使用している状態を表す。
【図２】本発明品の植木鉢を、屋内で使用する状態を表す。
【図３】本発明品の植木鉢を、下から見た状態を表す。
【図４】植物を２本植える事ができる本発明品の植木鉢を、下から見た状態を表す。
【図５】植物を２本植える事ができる本発明品の植木鉢を、上から見た状態を表す。
【図６】本発明品の植木鉢を、屋内で使用する場合の、構成を表す斜視図である。
【図７】本発明品の植木鉢を積み重ね、小物入れや容器として使用する状態を表す。
【発明を実施するための形態】
【０００８】本発明を実施し、前述の課題を全て解決する為の形態や構成は、請求項１から請求項４に詳述された通りであり、そのいずれか、又はいずれか複数を選択すれば良い。その構成の一例を、図を使用して説明する。
【実施例】
【０００９】図１は、本発明の植木鉢を、花壇などの地面３に、差し込んで使用する状態を表す。多角柱部分２は、地表面から下に埋められるので見えないが、内部が貫通している為、植物はそのまま根を伸ばす事が可能で、植物の生育を妨げる事は無い。また、地表面には、土を満たした直方体部分１だけが見えているが、埋没された多角柱により、強風が吹いても転倒する心配が無く、直方体部分の意匠を煉瓦の様に並べる事により、花壇の飾りとして楽しむ事もできる。また、図示されていないが、多角柱部分の底に、貫通孔を設けた蓋を装着すれば、根の伸びを制御する事が可能で、盆栽などの用途に好適である。【００１０】図２は、本発明品の植木鉢を屋内で使用する状態を表す。花壇などの地面で一定期間生育した植物を屋内に持ち込む際は、受け皿６を装着し、上部に蓋５を取り付ける。受け皿は、地面に埋め込まれていた多角柱２を覆い隠すと同時に、直方体部分と同じ意匠なので、室内に置いた場合に、インテリアとして最適となる。また、受け皿部分が深く、一定の水を溜める事が可能な上、着脱できる為、不要な水の処分も簡単である。【００１１】図３は、多角柱を八角柱とした状態の一例を、下から見た図であり、図４は、四角柱７を２つ設けた状態を、下から見た図である。また、図５は、八角柱９を２つ設けた状態を上から見た図であり、１５は補強用のリブを表す。尚、本発明品を樹脂による一体成形とすれば、リブや多角柱を形成する事が容易であり、廉価で大量生産が可能である。【００１２】図６は、屋内で使用する状態の組み合わせを表す斜視図であり、多角柱は、角の数が無限に多い場合、即ち、円柱の状態を表している。
補強用のリブ１５は、植物の生育を妨げぬ様に、多角柱又は円柱部分には設けられていない。その為、受け皿１４に設けられたリブ１５は、植木鉢本体の多角柱又は円柱部分１３を把持する事ができる。また、蓋１１は、植木鉢の上部開口部に、インロー嵌合させれば良い。【００１３】図７は、本発明品の植木鉢を、傘立て等として使用する構成を表す。植物が枯れてしまい、植木鉢が不要になった場合でも、本発明品の図６の構成であれば、ペン立てなどに活用できる。さらに、本体１２を複数重ねた状態が図７である。多角柱１３は貫通しているので、植木鉢本体を複数積み重ねても、蓋に設けた孔から受け皿１４まで、多角柱部分が一直線に貫通しているので、傘などの長い棒状の物を挿入する事ができる。また、本発明品は直方体を基本としているので、図７の状態を横倒しにして使用したり、同構造の物を積み上げる事も可能で、多種多様な意匠形状の容器となる。【００１４】以上の通り、本発明の構成によれば、植物を花壇から屋内に持ち込む事が簡単で、逆に屋内から植木鉢のままで花壇に移植する事ができる。また、意匠形状を生かし、汎用性の高い物入れとしても活用が可能で、さらに、上下を逆にする、複数を組み合わせる、傾斜させて配置するなど、色々なバリエーションに展開可能で、本発明の課題を、全て完璧に解決できる。
家庭菜園で野菜や果物を育てた場合は、収穫した後、土を捨て、本体を運搬用の容器として使用すれば、極めて利便性が高い。さらに、キッチンに持ち込み、容器内で野菜や果物を洗い、そのまま食器としても活用できるので、無駄が無く、収穫後に邪魔になることも無い。
また、植木鉢を花壇等で使用中は、蓋と受け皿の組み合わせにより、小物入れとしても使用できる為、全く無駄が発生せず、極めて高い稼働率を確保できる。
【産業上の利用可能性】
【００１５】本発明の、請求項１から請求項４の、いずれかに記載された構成を、１つ又は複数選択して採用すれば、前述の課題を全て解決する事が可能で、汎用性が高くて高機能な植木鉢を、廉価で販売する事が可能となる。即ち、日用品産業の活性化を図る事ができる。
【符号の説明】
【００１６】  １、本発明品の植木鉢の上部で、直方体部分
２、本発明品の植木鉢の下部で、多角柱部分
３、地表面
４、植物
５、植物を通す貫通孔を設けた蓋
６、受け皿
７、四角柱
８、植物を２本植える事ができる植木鉢
９、八角柱
１０、植物を２本植える事ができる植木鉢
１１、植物を通す貫通孔を設けた蓋
１２、本発明品の植木鉢の上部で、直方体部分
１３、本発明品の植木鉢の下部で、円柱部分
１４、受け皿
１５、補強リブ
【図１】
2016077278.tif 000003
【図２】
2016077278.tif 000004
【図３】
2016077278.tif 000005
【図４】
2016077278.tif 000006
【図５】
2016077278.tif 000007
【図６】
2016077278.tif 000008
【図７】
2016077278.tif 000009